(57)【要約】【課題】Ｗｅｂ閲覧の際、現在読み上げているページのサイトをユーザが容易に把握でき、データの読み込み中にも画面の状態を把握可能とする。【解決手段】Ｗｅｂサーバ１−９に閲覧要求し映像出力部１−２に表示しているＷｅｂコンテンツのページのＵＲＬに対応する楽曲等の音響データを情報蓄積部１−６に用意し、制御部１−４が表示しているページのＵＲＬに応じて情報蓄積部１−６に登録してある楽曲を音声出力部１−３で再生する。これにより、現在、音声出力部１−３で読み上げられているページがどのサイトに属しているかを、ユーザがより容易に把握できるようにする。さらに、データの読み込み中にも、あらかじめ情報蓄積部１−６に登録、設定した楽曲を、制御部１−４が音声出力部１−３で再生する。これにより、ユーザがブラウザの画面を見なくても、画面の状態を把握できるようにする。【選択図】  図１
2004348200.tif 000002
【特許請求の範囲】
【請求項１】
ネットワークを介してＷｅｂコンテンツを閲覧するＷｅｂ閲覧装置において、
閲覧要求におけるＵＲＬ、またはＩＰアドレスからどのページの閲覧を要求しているかを特定する手段と、
閲覧要求中のページを表現するために該閲覧要求を契機にそのページに対応する音を再生する手段とを有する
ことを特徴とするＷｅｂ閲覧装置。
【請求項２】
ネットワークを介してＷｅｂコンテンツを閲覧するＷｅｂ閲覧装置において、
表示中のページのＵＲＬ、またはＩＰアドレスからどのページを表示しているかを特定する手段と、
表示中のページを表現するために該表示の完了を契機にそのページに対応する音を再生する手段とを有する
ことを特徴とするＷｅｂ閲覧装置。
【請求項３】
電源を入れてから、あらかじめ設定されたＵＲＬ、またはＩＰアドレスの指定ページが表示されるまでの間、あらかじめ設定された音を再生する手段を有する
ことを特徴とする請求項２に記載のＷｅｂ閲覧装置。
【請求項４】
ＵＲＬ、またはＩＰアドレスを指定してからページが表示されるまでの間、あらかじめ設定された待ち受け音を再生する手段を有する
ことを特徴とする請求項２に記載のＷｅｂ閲覧装置。
【請求項５】
ネットワークを介してＷｅｂコンテンツを閲覧するＷｅｂ閲覧装置は音声ブラウザを用いるものである
ことを特徴とする請求項１ないし４のいずれかに記載のＷｅｂ閲覧装置。
【請求項６】
ネットワークを介してＷｅｂコンテンツを閲覧するＷｅｂ閲覧装置において、
指定しているＵＲＬ、またはＩＰアドレスからどのページにいるかを特定する手段と、
表示中のページを表現するために該表示中のページに対応してブラウザの色を変える手段を有する
ことを特徴とするＷｅｂ閲覧装置。
【請求項７】
ネットワークを介してＷｅｂコンテンツを閲覧するＷｅｂ閲覧制御方法において、
閲覧要求におけるＵＲＬ、またはＩＰアドレスからどのページの閲覧を要求しているかを特定する手順と、
閲覧要求中のページを表現するために該閲覧要求を契機にそのページに対応する音を再生する手順とを有する
ことを特徴とするＷｅｂ閲覧制御方法。
【請求項８】
ネットワークを介してＷｅｂコンテンツを閲覧するＷｅｂ閲覧制御方法において、
表示中のページのＵＲＬ、またはＩＰアドレスからどのページを表示しているかを特定する手順と、
表示中のページを表現するために該表示の完了を契機にそのページに対応する音を再生する手順とを有する
ことを特徴とするＷｅｂ閲覧制御方法。
【請求項９】
起動してから、あらかじめ設定されたＵＲＬ、またはＩＰアドレスの指定ページが表示されるまでの間、あらかじめ設定された音を再生する手順を有する
ことを特徴とする請求項８に記載のＷｅｂ閲覧制御方法。
【請求項１０】
ＵＲＬ、またはＩＰアドレスを指定してからページが表示されるまでの間、あらかじめ設定された待ち受け音を再生する手順を有する
ことを特徴とする請求項８に記載のＷｅｂ閲覧制御方法。
【請求項１１】
ネットワークを介してＷｅｂコンテンツを閲覧するＷｅｂ閲覧制御方法を音声ブラウザで実施する
ことを特徴とする請求項７ないし１０のいずれかに記載のＷｅｂ閲覧制御方法。
【請求項１２】
ネットワークを介してＷｅｂコンテンツを閲覧するＷｅｂ閲覧制御方法において、
指定しているＵＲＬ、またはＩＰアドレスからどのページにいるかを特定する手順と、
表示中のページを表現するために該表示中のページに対応してブラウザの色を変える手順を有する
ことを特徴とするＷｅｂ閲覧制御方法。
【請求項１３】
請求項７ないし１２のいずれかに記載のＷｅｂ閲覧制御方法における手順を、コンピュータに実行させるためのプログラムとした
ことを特徴とするＷｅｂ閲覧制御プログラム。
【請求項１４】
請求項７ないし１２のいずれかに記載のＷｅｂ閲覧制御方法における手順を、コンピュータに実行させるためのプログラムとし、
該プログラムを、該コンピュータが読み取りできる記録媒体に記録した
ことを特徴とするＷｅｂ閲覧制御プログラムを記録した記録媒体。
【発明の詳細な説明】
【０００１】
【発明の属する技術分野】
本発明は、表示中のＵＲＬまたはＩＰアドレスに応じて動作するＷｅｂ閲覧装置およびその制御方法に関する。
【０００２】
【従来の技術】
インターネットに接続して、Ｗｅｂページの閲覧を楽しむことができるＷｅｂブラウザでは、ユーザが現在見ているＷｅｂページのＵＲＬ（Ｕｎｉｆｏｒｍ  Ｒｅｓｏｕｒｃｅ  Ｌｏｃａｔｅｒ）は、ＵＲＬが表示されている部分を目で見て確かめることが一般的である。ＵＲＬによって、Ｗｅｂコンテンツは特定される。または、ＩＰアドレスがわかっているときには、ＩＰアドレスで指定することもできる。
【０００３】
一つのＷｅｂサイト内では共通のナビゲーションバーを用意するなど、共通のデザインをすることで、Ｗｅｂサイトとしての統一感を出していた。このことは、ユーザにとって、どのＷｅｂサイトにいるかがわかり、安心感が得られる原因となっていた。
【０００４】
近年、特許文献１のように音声ブラウザが開発され、目の不自由な方にもＷｅｂページへのアクセスが可能になってきた。音声ブラウザでは、Ｗｅｂページに書かれた情報を合成音声などで読み上げることにより、Ｗｅｂの閲覧が可能となる。しかし、音声は画像と異なるため、複数の情報を同時に提示することが難しい。そのため、音声ブラウザでは、現在、読み上げあげられているページがどのサイトに属するのかわからないどいう問題がある。
【０００５】
また、メタデータの中に音楽の情報を加えることなどで、そのページを閲覧すると音楽が流れるページが実現されているが、ユーザの好みではない音楽が流れる場合もあり、ユーザにとっては好みの音楽が聞けない状況であった。
【０００６】
【特許文献１】
特開平１１一２４９８６７号公報
【０００７】
【発明が解決しようとする課題】
音声ブラウザでは、ページの内容が読み上げあげられているときに、ページのＵＲＬが同時に提示されることはないため、現在読み上げられているページがどのサイトに属するのかわからないという問題があった。そのため、リンクをたどった結果、他のサイトに移動してしまっても、読み上げられる音声が変化しないために気が付かないという問題があった。
【０００８】
また、普通のブラウザであっても、データの読み込み中なのか画面を表示中なのかのどちらかである画面の状態は、画面を見なければわからないという問題があった。
【０００９】
本発明は、これらの問題点を解決するためになされたものであり、Ｗｅｂ閲覧の際に、現在、読み上げられているページがどのサイトに属しているかを、ユーザがより容易に把握できるとともに、データの読み込み中にも画面の状態を把握できるＷｅｂ閲覧装置およびその制御方法を提供することが課題である。
【００１０】
【課題を解決するための手段】
上記の課題を解決するため、本発明は、ネットワークを介してＷｅｂコンテンツを閲覧するＷｅｂ閲覧装置において、閲覧要求におけるＵＲＬ、またはＩＰアドレスからどのページの閲覧を要求しているかを特定する手段と、閲覧要求中のページを表現するために該閲覧要求を契機にそのページに対応する音を再生する手段とを有することを特徴とするＷｅｂ閲覧装置を、その手段とする。
【００１１】
あるいは、ネットワークを介してＷｅｂコンテンツを閲覧するＷｅｂ閲覧装置において、表示中のページのＵＲＬ、またはＩＰアドレスからどのページを表示しているかを特定する手段と、表示中のページを表現するために該表示の完了を契機にそのページに対応する音を再生する手段とを有することを特徴とするＷｅｂ閲覧装置を、その手段とする。
【００１２】
あるいは、上記のＷｅｂ閲覧装置において、電源を入れてから、あらかじめ設定されたＵＲＬ、またはＩＰアドレスの指定ページが表示されるまでの間、あらかじめ設定された音を再生する手段を有することを特徴とするＷｅｂ閲覧装置を、その手段とする。
【００１３】
あるいは、上記のＷｅｂ閲覧装置において、ＵＲＬ、またはＩＰアドレスを指定してからページが表示されるまでの間、あらかじめ設定された待ち受け音を再生する手段を有することを特徴とするＷｅｂ閲覧装置を、その手段とする。
【００１４】
あるいは、上記のＷｅｂ閲覧装置において、ネットワークを介してＷｅｂコンテンツを閲覧するＷｅｂ閲覧装置は音声ブラウザを用いるものであることを特徴とするＷｅｂ閲覧装置を、その手段とする。
【００１５】
あるいは、ネットワークを介してＷｅｂコンテンツを閲覧するＷｅｂ閲覧装置において、指定しているＵＲＬ、またはＩＰアドレスからどのページにいるかを特定する手段と、表示中のページを表現するために該表示中のページに対応してブラウザの色を変える手段を有することを特徴とするＷｅｂ閲覧装置を、その手段とする。
【００１６】
あるいは、ネットワークを介してＷｅｂコンテンツを閲覧するＷｅｂ閲覧制御方法において、閲覧要求におけるＵＲＬ、またはＩＰアドレスからどのページの閲覧を要求しているかを特定する手順と、閲覧要求中のページを表現するために該閲覧要求を契機にそのページに対応する音を再生する手順とを有することを特徴とするＷｅｂ閲覧制御方法を、その手段とする。
【００１７】
あるいは、ネットワークを介してＷｅｂコンテンツを閲覧するＷｅｂ閲覧制御方法において、表示中のページのＵＲＬ、またはＩＰアドレスからどのページを表示しているかを特定する手順と、表示中のページを表現するために該表示の完了を契機にそのページに対応する音を再生する手順とを有することを特徴とするＷｅｂ閲覧制御方法を、その手段とする。
【００１８】
あるいは、上記のＷｅｂ閲覧制御方法において、起動してから、あらかじめ設定されたＵＲＬ、またはＩＰアドレスの指定ページが表示されるまでの間、あらかじめ設定された音を再生する手順を有することを特徴とする請求項８に記載のＷｅｂ閲覧制御方法を、その手段とする。
【００１９】
あるいは、上記のＷｅｂ閲覧制御方法において、ＵＲＬ、またはＩＰアドレスを指定してからページが表示されるまでの間、あらかじめ設定された待ち受け音を再生する手順を有することを特徴とするＷｅｂ閲覧制御方法を、その手段とする。
【００２０】
あるいは、上記のＷｅｂ閲覧制御方法において、ネットワークを介してＷｅｂコンテンツを閲覧するＷｅｂ閲覧制御方法を音声ブラウザで実施することを特徴とするＷｅｂ閲覧制御方法を、その手段とする。
【００２１】
あるいは、ネットワークを介してＷｅｂコンテンツを閲覧するＷｅｂ閲覧制御方法において、指定しているＵＲＬ、またはＩＰアドレスからどのページにいるかを特定する手順と、表示中のページを表現するために該表示中のページに対応してブラウザの色を変える手順を有することを特徴とするＷｅｂ閲覧制御方法を、その手段とする。
【００２２】
あるいは、上記のＷｅｂ閲覧制御方法における手順を、コンピュータに実行させるためのプログラムとしたことを特徴とするＷｅｂ閲覧制御プログラムを、その手段とする。
【００２３】
あるいは、上記のＷｅｂ閲覧制御方法における手順を、コンピュータに実行させるためのプログラムとし、該プログラムを、該コンピュータが読み取りできる記録媒体に記録したことを特徴とするＷｅｂ閲覧制御プログラムを記録した記録媒体を、その手段とする。
【００２４】
本発明では、表示しているページのＵＲＬに対応する楽曲等の音響データを用意し、ＵＲＬに応じて楽曲を再生することにより、現在、読み上げられているページがどのサイトに属しているかを、ユーザがより容易に把握できるようにしている。
【００２５】
さらに、データの読み込み中にもあらかじめ設定した楽曲を再生することにより、ユーザがブラウザの画面を見なくても、画面の状態を把握できるようにしている。
【００２６】
【発明の実施の形態】
以下、本発明の実施の形態について、図を用いて詳細に説明する。
【００２７】
図１は、本発明のＷｅｂ閲覧システムの一実施の形態例を示す構成図である。本発明で対象としているＷｅｂシステムは、図１のような構成が考えられる。本実施の形態のＷｅｂシステムは、Ｗｅｂ閲覧装置１−１、Ｗｅｂサーバ１−９、およびこれらを接続するネットワーク１−８から構成されている。Ｗｅｂ閲覧装置１−１は、映像出力部１−２、音声出力部１−３、制御部１−４、情報入出力部１−５、情報蓄積部１−６、および操作部１−７から構成される。Ｗｅｂ閲覧装置１−１は、パーソナルコンピュータ（ＰＣ）で実現する場合は、映像出力部１−２はモニタに、制御部１−４、情報蓄積部１−６はＰＣ本体に、操作部１−７はキーボード、マウスに、音声出力部１−３はスピーカに対応する。
【００２８】
なお、本発明の実施の形態ではＵＲＬを例にとって説明をするが、サーバが特定できる手段、例えばＩＰアドレスを指定しても、同様に実施は可能である。
【００２９】
（実施の形態例１）
第１の実施の形態例について説明する。電源を入れたときにデフォルトのＵＲＬのページを表示し、表示されるまではあらかじめ設定された音を再生し、デフォルトのページの表示が完了したときに、デフォルトのページに対応する音を再生するときの例である。
【００３０】
通常のブラウザでは、ブラウザを起動すると最初に表示されるＷｅｂページ（デフォルトページ）のＵＲＬを登録しておくことが一般的である。このデフォルトページのＵＲＬをデフォルトＵＲＬと呼ぶことにする。本発明の実施の形態例で説明するデフォルトＵＲＬとは一般のブラウザと同様に、起動後、最初に表示されるＷｅｂページのＵＲＬである。
【００３１】
図１はＷｅｂ閲覧装置の機能ブロック構成図を示している。本実施の形態例では、ＵＲＬに従って音楽を再生するシステムに応用した場合について説明する。ここでは再生する音として楽曲の場合を想定し説明するが、楽曲でなくてもよい。例えば、表示するページの違いを、持続音やＡＭ音、ＦＭ音の周波数で表したり、一定の周期で再生される短音の周期で表したりすることが考えられる。
【００３２】
図２にユーザが本発明のＷｅｂ閲覧装置を用いてＷｅｂ閲覧をするときのフローチャートを示す。図２はＷｅｂ閲覧装置を起動したときの動作を示す。
【００３３】
まず、２−１において、ユーザが電源スイッチ（表示せず）を入れるなどして、Ｗｅｂ閲覧装置１−１を起動する。Ｗｅｂ閲覧装置１−１が起動されると、２−２において、制御部１−４は情報蓄積部１−６に立ち上げ、曲データを送るよう要請する。
【００３４】
ここで、立ち上げ曲データとは、立ち上げ時に使う曲データという意味で、曲データとはデジタル化された楽曲のデータを示す。データ圧縮されたデータ形式ではＭＰ３形式などが代表的であるが、データ圧縮されていないものでもよく、形式にはこだわらない。この曲データは情報蓄積部１−６に格納されており、音声出力部１−３にてＤ／Ａ変換されるか、あるいはデコードされＤ／Ａ変換されて出力される。
【００３５】
２−３において、情報蓄積部１−６では表１のデータベースより、立ち上げ曲データは曲データＡと判断し、曲データＡを音声出力部１−３に送る。
【００３６】
【表１】
2004348200.tif 000003
【００３７】
２−４において、音声表示部１−３において曲データＡが再生される。つづいて、２−５において、制御部１−４はデフォルトＵＲＬを、情報蓄積部１−６から制御部１−４へ送信するよう情報蓄積部１−６に要請する。２−６で情報蓄積部１−４では、表１のデータベースより、デフォルトＵＲＬはｗｗｗ．ｄｄｄ．ｊｐと判断し、このＵＲＬが情報蓄積部１−６から制御部１−４に送られる。２−７において、制御部１−４は情報入出力部１−５を介し、デフォルトＵＲＬのＷｅｂサーバ（ｗｗｗ．ｄｄｄ．ｊｐに対応するＷｅｂサーバ）にコンテンツデータを送るよう要請する。
【００３８】
２−８において、情報入出力部１−５がデフォルトＵＲＬのＷｅｂサーバからコンテンツデータを受信すると、その情報を解釈し、映像出力部１−５に表示する。一般のＷｅｂコンテンツでは、ＨＴＭＬで書かれたデータを解釈して、映像出力部１−２に表示することになる。一般に、すべてのコンテンツデータを表示するにはいくらかの時間がかかるため、すべてのコンテンツデータが表示されたかを２−９で判断する。
【００３９】
すべて表示されると、２−１０に進み、制御部１−４は情報蓄積部１−６にデフォルト曲データを音声出力部１−３へ送信するよう要請する。ここで、デフォルト曲データとは、デフォルトページ表示に対応する曲データで、表１より曲データＢである。２−１１において曲データＢが音声出力部１−３に送られ、２−１２において、音声出力部１−３で曲データＢが再生される。
【００４０】
このフローにより、Ｗｅｂ閲覧装置１−１を起動すると、立ち上げ曲が再生され、デフォルトＵＲＬに普かれたＵＲＬのコンテンツデータがすべて表示されると同時に、デフォルトＵＲＬに書かれた曲を再生することができる。
【００４１】
（実施の形態例２）
本実施の形態例では、何らかのＷｅｂページが表示されているときに、キーボード等により次に表示させたいＵＲＬを入力し、Ｗｅｂコンテンツを閲覧する例について図３のフローチャートを用いて説明する。
【００４２】
この例では、新たなＵＲＬを入力すると同時に待ち受け曲の再生を始め、入力したＵＲＬに対応するページが表示された瞬間に、表示されたページに対応する楽曲を再生する例である。また、表示されたページが楽曲の再生を伴うページであった場合に、あらかじめ設定された優先設定に基づき、表示されたページの楽曲を再生するか、本Ｗｅｂ閲覧装置での楽曲を再生するかを判断する際の例である。また、入力したＵＲＬが本Ｗｅｂ閲覧装置のデータベースに無かった場合は、未知のＵＲＬとして、あらかじめ設定された未知のＵＲＬに対応する楽曲を再生する場合の例である。
【００４３】
３−１において、キーボードなどから構成される操作部１−７を使ってＵＲＬを入力する。ここでは、ｗｗｗ．ｘｘｘ．ｙｙｙ．ｊｐと入力した場合について説明する。３−２において、ＵＲＬを入力する前に表示されていたページのＵＲＬを情報蓄積部１−６の表２のデータベースに保存する。表２のデータベースで現在表示ページの項目に保存される。
【００４４】
【表２】
2004348200.tif 000004
【００４５】
３−３において、制御部１−４は情報蓄積部１−６に待ち受け曲データを送るよう要請する。３−４において、情報蓄積部１−６では表２のデータベースより、待ち受け曲データは曲データＣと判断し、曲データＣを音声出力部１−３に送る。３−５において、曲データＣが音声表示部１−３にて再生される。つづいて、３−６で、制御部１−４から情報入出力部１−５、ネットワーク１−８を介しく入力されたＵＲＬに対応するＷｅｂサーバ１−９にコンテンツデータを送るよう要請する。
【００４６】
さて、ＵＲＬは一般に表２の上段のように入力し指定される。この最初のｗｗｗ．ｄｄｄ．ｊｐが同じであるＵＲＬは、同じサイトに属すると考えることができる。そのため、同一サイトかどうかを調べるために、表２の中段のように変換する。これは、最初の／／１から次の／までの内容を抜き出せばよい。表２の例では、ｗｗｗ．ｄｄｄ．ｊｐとなり、これが表２のデータベース内に存在するかどうかを調べる。現在表示されているページのＵＲＬは３−２において情報蓄積部１−６の表２のデータベースに格納したものである。
【００４７】
また、イントラネットなどでは、上記の例のようにｗｗｗ．ｄｄｄ．ｊｐの部分がすべて等しい場合がある。その場合は、ｗｗｗ．ｄｄｄ．ｊｐ以下の文字列を比べればよい。このように、同じサイトに属しているかを比べるために、文字列のどの部分を切り出すのかについての情報は、あらかじめ情報蓄積部１−６に格納しておく。
【００４８】
３−７において、情報入出力部１−５がＷｅｂサーバ１−９からコンテンツデータを受信すると、その情報を解釈し、映像出力部１−２に表示を始める。すべてのコンテンツデータが表示されたかを３−８で判断する。表示が完了した場合には、３−９で表示されたページに曲が設定されているかを判断する。Ｗｅｂページの中には、曲が設定されているものがあり、そのページを表示すると自動的に曲が流れる。続いて、３−１０において、このＷｅｂページ作成者によって設定された曲を再生するのか、本装置の曲を優先するのかを判断する。これは、情報蓄積部１−６にどちらを優先にするかというデータをあらかじめ蓄積しておく。３−１０で、Ｗｅｂページ作成者の曲を優先する場合には、３−１２に進み、表示されたページの曲を音声出力部１−３で再生し、終了する。３−１０で、本装置の曲を優先するように設定されていた場合には、３−１１に進み、入力されたＵＲＬに対応する曲データを送るよう、制御部１−４から情報蓄積部１−６に要請する。３−１３で情報蓄積部１−６では、入力されたＵＲＬが情報蓄積部１−６の表２のデータベースの中に存在するかをパターンマッチングなどの手法を用いて調べる。もし、入力されたＵＲＬが存在すれば３−１４に進み、入力されたＵＲＬがｗｗｗ．ｘｘｘ．ｙｙｙ．ｊｐであったので、これに対応する曲データ１が制御部１−４に送られる。もし、入力されたＵＲＬが表２のデータベースの中に存在しなければ、３−１５に進み、未知のＵＲＬとして、未知のＵＲＬ用に用意しておいた、曲データＤが情報蓄積部１−６から音声出力部１−３に送られる。３−１６において、曲データＤを音声出力部１−３に送り、３−１７で音声表示部１−３にて再生される。
【００４９】
こうすることにより、表２のデータベースで指定されていない場合には、未知のＵＲＬに対応する曲を再生することができる。
【００５０】
（実施の形態例３）
同一サイト内での移動のときには、画面が切り替わる前と後で、曲データは等しい。そのようなときには、待ち受け曲を再生せずに、同じ曲データを再生し続ける方が、わずらわしくない。また、曲データを切り替えてしまうと同じ曲データであっても最初から再生されることになり、使いづらい。同一サイト内への移動の場合に待ち受け曲を再生しない例について、リンクが設定してあるテキストをクリックすることなどにより移動するときの例を、図４のフローチャートを用いて説明する。
【００５１】
４−１において、リンクの設定してあるテキストを操作部１−７でクリックする。４−２において、クリックした部分に設定してあるリンクのＵＲＬを情報蓄積部１−６に保存する。４−３において、クリックする前に表示されていたページのＵＲＬを情報蓄積部１−６に保存する。これらは表３のデータベースのようになっている。
【００５２】
【表３】
2004348200.tif 000005
【００５３】
実施の形態例２の表２の場合と同様に、ＵＲＬが保存され、変換される。クリックした部分に設定してあるリンクのＵＲＬが保存され、同様に変換される。これらを表４に示す。
【００５４】
【表４】
2004348200.tif 000006
【００５５】
４−４では、表４の２行目と４行目の変換されたＵＲＬ同士が比較される。表４の例では、比較対象の文字列は等しいため、そのまま同じ楽曲を再生し続け終了する。これらが等しくない場合には、４−５に進む。４−５から４−１６は図３において説明した実施の形態例と同様である。
【００５６】
（実施の形態例４）
ＵＲＬを情報蓄積部１−６のデータベースに登録するときの登録画面の例を図５に示す。ＵＲＬと曲データを入力することで、表２や表３のデータベースに入力することができる。また、ブックマークを登録するときに、同時に曲データを登録しても良い。その場合、登録するのは、実際のＵＲＬデータから、実施の形態例２の表２のように変換したＵＲＬでもよい、
（実施の形態例５）
別サイトに移動したときに、曲を変えるのではなく、ブラウザ画面の色を変えても良い。ブラウザではほとんどが、コンテンツデータを表示するものになっているが、枠の部分の色を変えることで、現在いるサイトを表すことができる。
【００５７】
（実施の形態例６）
情報蓄積部をネットワーク上の別のサーバにおくという構成も考えられる。この場合の構成を図６に示す。６−１〜６−６，６−８，６−９，６−１１の各部は、図１の１−１〜１−９の同名の各部と同様に構成される。ただし、本実施の形態例では、情報蓄積部６−１１が、Ｗｅｂ閲覧サーバ６−１０内に収容され、情報入出力部６−１２、および制御部６−１３を介してネットワーク６−８に接続されている。この場合の動作は、制御部６−４が情報入出力部６−５、ネットワーク６−８、情報入出力部６−１２、および制御部６−１３を通して情報蓄積部６−１１にアクセスすることを除き、図１のときと同様である。
【００５８】
なお、上記の実施の形態例では、表示の完了を契機にそのページに対応する音を再生する例を示したが、閲覧要求中のページを表現するために、閲覧要求を契機にそのページに対応する音を再生することも可能である。
【００５９】
なお、図１、および図６を用いて説明した装置における各部の一部もしくは全部の機能をコンピュータのプログラムで構成し、そのプログラムをコンピュータを用いて実行して本発明を実現することができること、あるいは、図２〜図５を用いて説明した処理の手順をコンピュータのプログラムで構成し、そのプログラムをコンピュータに実行させることができることは言うまでもなく、コンピュータでその機能を実現するためのプログラム、あるいは、コンピュータにその処理の手順を実行させるためのプログラムを、そのコンピュータが読み取り可能な記録媒体、例えば、フレキシブルディスクや、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークにより提供されたプログラムをコンピュータにインストールすることで本発明が実施可能となる。
【００６０】
【発明の効果】
本発明により、閲覧するＷｅｂページのＵＲＬに応じて、音楽を再生することのできるＷｅｂ閲覧を実現することができる。これは特に音声ブラウザによってＷｅｂを閲覧しているユーザにとって有意義である。また、待ち受け状態で特別な楽曲を再生することで、どの状態にあるのかが耳で聞いただけでわかる。また、一般のブラウザに応用しても画面を見ることなしに表示中のページがすぐにわかり有効である。
【００６１】
これにより、今まで閲覧していたページの属するサイトから別のサイトヘ移動したときに、曲目が変化するので、別サイトに移動したことをユーザは曲を聴くだけで知ることができる。移動要求があったときに曲の再生を開始するようにすれば、これから移動する移動先のページを知ることができ便利である。また、ページの表示が完了したときに曲の再生を開始すれば、ページの表示が完了したことを、曲を聴くだけで知ることができ便利である。
【００６２】
よく訪れるサイトに移動するとよく聞く曲が流れてきて、いつものサイトに来たことがすぐにわかり、ユーザは安心感を得られるという効果が期待される。
【００６３】
また、楽曲以外でも、サイトが変わったときにブラウザの色を変化させるようにすれば、これによっても別サイトに移動したことをユーザに知らせることができる。
【図面の簡単な説明】
【図１】本発明の実施の形態例１からの実施の形態例４を実現するＷｅｂ閲覧システムの構成図である。
【図２】本発明の実施の形態例１におけるＷｅｂ閲覧システムの動作を示すフローチャートである。
【図３】本発明の実施の形態例２におけるＷｅｂ閲覧システムの動作を示すフローチャートである。
【図４】本発明の実施の形態例３におけるＷｅｂ閲覧システムの動作を示すフローチャートである。
【図５】本発明の実施の形態例４におけるＵＲＬデータ登録画面の例である。
【図６】本発明の実施の形態例６におけるＷｅｂ閲覧システムの構成図である。
【符号の説明】
１−１…Ｗｅｂ閲覧装置
１−２…映像出力部
１−３…音声出力部
１−４…制御部
１−５…情報入出力部
１−６…情報蓄積部
１−７…操作部
１−８…ネットワーク
１−９…Ｗｅｂサーバ
【図１】
2004348200.tif 000007
【図２】
2004348200.tif 000008
【図３】
2004348200.tif 000009
【図４】
2004348200.tif 000010
【図５】
2004348200.tif 000011
【図６】
2004348200.tif 000012